(57)【要約】【課題】方向性を有した意匠が設けられた操作つまみが装着されて使用される回転押圧操作型電子部品に関し、回転操作しても、意匠は常に正立状態に維持される高品位なものを提供することを目的とする。【解決手段】上面に意匠２４が明示された意匠部材４２は、中間の環状突起４２Ａを境に、上方が操作つまみ４３の段付き円形孔４３Ａに挿入され、下方が略円筒形状の操作軸３８内に挿入されて、下端部の係止部４２Ｄがケース３１の貫通孔３１Ａに上下移動可能に係止され、かつ貫通孔３１Ａ内の溝部３１Ｂに回転止め部４２Ｅを嵌合して回転しないようになされており、操作つまみ４３は、下方の係止孔４３Ｂを軸受３９の筒部３９Ｂから突出した操作軸３８の係止用突起３８Ｂに係止して構成した。【選択図】図１
2011023212.tif 000002
【特許請求の範囲】
【請求項１】
上方開口の凹部中央に上下方向の溝部を備えた貫通孔を有し、その凹部内底面の内周側にプッシュスイッチ用固定接点が配置され、外周側に回転機能部用導体が配置されたケースと、上記ケースの凹部内に組み合わされ、押圧されると上記プッシュスイッチ用固定接点どうしを接離する円環状の可動接点と、この可動接点上に上下移動可能に載置され上記ケースの貫通孔と同心でその貫通孔より大径の中央孔を有した駆動体と、中央に非円形貫通孔を備え、回転されると上記回転機能部用導体上を摺動する摺動子を下面に有した回転体と、円形貫通孔を有し、上記回転体の非円形貫通孔と係合する係合部を下方に備え、下端が上記駆動体の上面に当接され、回転されると上記回転体を一体に回転し、上下移動に際しては独立して動作可能になされた操作軸と、この操作軸に設けられた鍔部を筒状部の嵌合孔内の段部に係止して上記操作軸を挿通し、上記ケースの凹部上面を覆うように配された軸受と、中孔から上記軸受の筒状部を突出状態にして上記ケースに固定されたカバーと、上端面に方向性を有した意匠が明示され、略棒状の中間位置に突出した環状突部により上記操作軸の上部で係止され、その下方が上記操作軸の円形貫通孔に挿通され、上記駆動体の中央孔を介して下端の係止部が上記ケースの貫通孔に係止されると共に、上記ケースの貫通孔に備えられた溝部に嵌合した回転止め部を備えた意匠部材と、上記意匠部材の環状突部上面に円形孔内の段部を当接させ、上記意匠部材の意匠を上記円形孔に露出し、上記操作軸と一体に回転操作可能で、かつ上記意匠部材および上記操作軸と一体に上下移動可能に取り付けられた操作つまみとから構成されている回転押圧操作型電子部品。
【請求項２】
意匠部材が意匠本体部材と保持部材とに分割構成され、保持部材は中空の略筒状で、上端部は一部が切欠かれた大径部となり、その大径部の下面が操作軸の上部に係止され、下端にケースの貫通孔に係止される係止部と上記貫通孔に備えられた溝部に嵌合した回転止め部を備え、上記意匠本体部材は上面に意匠が明示された上部が上記保持部材の大径部を下方の嵌合凹部に嵌合し、直線棒状の下部が上記保持部材の貫通孔に挿入されている請求項１記載の回転押圧操作型電子部品。
【請求項３】
意匠部材または意匠本体部材が透光性を有した材料で形成されている請求項１または２に記載の回転押圧操作型電子部品。
【発明の詳細な説明】
【技術分野】
【０００１】
本発明は、各種電子機器の操作部に用いられ、方向性を有した意匠が設けられた操作つまみが組み合わされて使用される回転押圧操作型電子部品に関するものである。
【背景技術】
【０００２】
車載用オーディオ機器などの操作部には、各種機能の調整を行う回転押圧操作型電子部品が多く用いられており、その回転押圧操作型電子部品の操作軸に取り付けられる操作つまみには、機能明示用の意匠が明示されているものが多い。
【０００３】
このような従来の回転押圧操作型電子部品について、図８〜図１１を用いて説明する。
【０００４】
図８は従来の回転押圧操作型電子部品の正面断面図、図９は同分解斜視図であり、同図において、１は凹部内底面の中央にプッシュスイッチ用固定接点２と、略環状の内壁を挟んで、そのプッシュスイッチ用固定接点２の外周にエンコーダ用固定接点３を備えた絶縁樹脂製のケースであり、上記プッシュスイッチ用固定接点２に対応して上方に膨らんだドーム状に形成された弾性金属薄板からなる可動接点４が組み合わされている。また、プッシュスイッチ用固定接点２およびエンコーダ用固定接点３のそれぞれと繋がった端子２Ａおよび３Ａがケース１の側壁から外方へ導出されている。
【０００５】
５は中心に非円形の貫通孔５Ａを備えた円筒部５Ｂとその円筒部５Ｂ下方のフランジ部５Ｃからなる絶縁樹脂製の回転体で、上記フランジ部５Ｃ下面に摺動子６が固定されている。この摺動子６は回転体５が回転されることで、上記ケース１のエンコーダ用固定接点３上を回転摺動して、エンコーダ用固定接点３との接離によりエンコーダ信号を発生するものである。
【０００６】
７は上方が小径となった段付きの円形貫通孔７Ａを有した筒部７Ｂと下方の板状部７Ｃを備えた軸受で、板状部７Ｃが上記ケース１の凹部上面を覆うように載置され、円形貫通孔７Ａ内の下方に上記回転体５の円筒部５Ｂが回転可能に嵌め合わされている。
【０００７】
また、板状部７Ｃ下面にはクリックバネ８が取り付けられている。このクリックバネ８は、下方に向けて曲げられた端部が上記回転体５のフランジ部５Ｃ上面に設けられた凹凸部５Ｄに弾接し、回転体５が回転されることで、クリック節度を発生するものである。
【０００８】
９は中間の鍔部９Ａが上記軸受７の円形貫通孔７Ａの大径部に嵌合し、回転動作と上下動作が可能に組み込まれた略棒状の操作軸で、鍔部９Ａ上方の操作部９Ｂが上記円形貫通孔７Ａから上方に突出し、鍔部９Ａ下方の非円形嵌合部９Ｃが上記回転体５の貫通孔５Ａに嵌合し、その非円形嵌合部９Ｃの下端中央から突出した押圧部９Ｄの下端が上記可動接点４のドーム状の上面に当接している。この操作軸９は、通常状態で可動接点４による弾接力を受けるように組み合わされており、押圧部９Ｄ下端に受ける上方への付勢力で、鍔部９Ａ上面が上記円形貫通孔７Ａの段部に当接状態になされている。
【０００９】
そして、実装用の脚部１０Ａを備えたカバー１０が、操作軸９の操作部９Ｂおよび軸受７の筒部７Ｂを上方に突出させて、軸受７の板状部７Ｃ上面から上記ケース１を抱え込むようにして配され、上記カシメ部１０Ｂがケース１下面でカシメ固定されている。
【００１０】
以上のように従来の回転押圧操作型電子部品は構成され、次にその動作を説明する。
【００１１】
まず、操作軸９を押圧操作すると、押圧部９Ｄ下端が可動接点４を押圧し、所定の押圧力を超えると、可動接点４のドーム状をした中央部分が弾性反転し、プッシュスイッチ用固定接点２と接触して、プッシュスイッチ用固定接点２に接続された端子２Ａからスイッチオン信号が得られる。この可動接点４の弾性反転動作時に、操作軸９は、回転体５の貫通孔５Ａに嵌合した非円形嵌合部９Ｃが回転体５を回転動作などさせることなく下方に移動する。
【００１２】
そして、操作軸９に加えていた押圧操作を解除すると、可動接点４の弾性反転した中央部分が節度感を伴って元の上方に膨らんだドーム状に弾性復帰し、プッシュスイッチ用固定接点２から離れて、スイッチオフとなる。この可動接点４の弾性復帰動作により、操作軸９は、押圧部９Ｄに上方への付勢力を受けて押し戻され、鍔部９Ａ上面が軸受７の円形貫通孔７Ａの段部に当接状態で停止する。
【００１３】
次に、操作軸９を回転操作すると、非円形嵌合部９Ｃによって係合されている回転体５が一体となって回転し、フランジ部５Ｃ下面に取り付けられた摺動子６がエンコーダ用固定接点３上を接離しながら回転摺動し、エンコーダ用固定接点３と接続された端子３Ａからエンコーダ信号が得られると共に、軸受７の板状部７Ｃ下面に取り付けられたクリックバネ８がフランジ部５Ｃ上面の凹凸部５Ｄ上を摺動してクリック節度を発生する。
【００１４】
ここで、この回転押圧操作型電子部品の実装状態を図１０の断面図により、説明する。
【００１５】
図１０において、２１は所定の回路が形成された回路基板で、その回路基板２１下面側で端子２Ａ，３Ａおよびカバー１０の脚部１０Ａが半田付けされて、回転押圧操作型電子部品が実装されている。２２は操作つまみで、回転押圧操作型電子部品の操作軸９の操作部９Ｂに圧入状態で装着されて、その上部部分は、つまみ用孔２３Ａから操作パネル２３の操作側に突出状態になされている。
【００１６】
そして、操作つまみ２２の上面中央には、操作パネル側からみた操作つまみの正面図を示す図１１のように、Ｃ字形と直線形との組み合わせからなる電源部を示す意匠２４が明示されている。この意匠２４はＣ字形の開口部に直線形が位置するものであり、Ｃ字形の開口部が同図における上方側に位置し、その開口部位置に直線形が同図の上下方向に沿って位置する状態が、正立した方向である。
【００１７】
そして、上記のように実装された回転押圧操作型電子部品を操作する際は、操作つまみ２２を押圧して、プッシュスイッチを動作させて電子機器の電源をオンにした後、操作つまみ２２を回転させて発生するエンコーダ信号により音量等を所望の状態に調節するものであった。
【００１８】
なお、この出願の発明に関連する先行技術文献情報としては、例えば、特許文献１が知られている。
【先行技術文献】
【特許文献】
【００１９】
【特許文献１】特開２００８−１０３５４３号公報
【発明の概要】
【発明が解決しようとする課題】
【００２０】
しかしながら、上記従来の回転押圧操作型電子部品においては、実装状態で、操作つまみ２２を回転操作して音量等を調整した後では、操作つまみ２２に明示された意匠２４が正立状態から傾いた状態となってしまい、この傾いた状態のために操作者に対して見た目の不安定感を与え、品位の低下を感じさせるという課題があり、操作つまみ２２を回転操作しても意匠２４は常に正立状態に維持される回転押圧操作型電子部品への要望に強いものがある。
【００２１】
本発明は、このような従来の課題を解決するものであり、回転操作しても、操作つまみに明示された方向性のある意匠が常に正立状態に維持される高品位な回転押圧操作型電子部品を提供することを目的とする。
【課題を解決するための手段】
【００２２】
上記目的を達成するために本発明は、以下の構成を有するものである。
【００２３】
上方開口の凹部中央に上下方向の溝部を備えた貫通孔を有し、その凹部内底面の内周側にプッシュスイッチ用固定接点が配置され、外周側に回転機能部用導体が配置されたケースと、上記ケースの凹部内に組み合わされ、押圧されると上記プッシュスイッチ用固定接点どうしを接離する円環状の可動接点と、この可動接点上に上下移動可能に載置され上記ケースの貫通孔と同心でその貫通孔より大径の中央孔を有した駆動体と、中央に非円形貫通孔を備え、回転されると上記回転機能部用導体上を摺動する摺動子を下面に有した回転体と、円形貫通孔を有し、上記回転体の非円形貫通孔と係合する係合部を下方に備え、下端が上記駆動体の上面に当接され、回転されると上記回転体を一体に回転し、上下移動に際しては独立して動作可能になされた操作軸と、この操作軸に設けられた鍔部を筒状部の嵌合孔内の段部に係止して上記操作軸を挿通し、上記ケースの凹部上面を覆うように配された軸受と、中孔から上記軸受の筒状部を突出状態にして上記ケースに固定されたカバーと、上端面に方向性を有した意匠が明示され、略棒状の中間位置に突出した環状突部により上記操作軸の上部で係止され、その下方が上記操作軸の円形貫通孔に挿通され、上記駆動体の中央孔を介して下端の係止部が上記ケースの貫通孔に係止されると共に、上記ケースの貫通孔に備えられた溝部に嵌合した回転止め部を備えた意匠部材と、上記意匠部材の環状突部上面に円形孔内の段部を当接させ、上記意匠部材の意匠を上記円形孔に露出し、上記操作軸と一体に回転操作可能で、かつ上記意匠部材および上記操作軸と一体に上下移動可能に取り付けられた操作つまみとから構成されている回転押圧操作型電子部品としたものである。
【００２４】
この構成により、押圧操作では操作つまみと共に意匠部材、操作軸が押し下げられて、操作軸下端が駆動体を介して可動接点を押し下げて、プッシュスイッチを機能させ、操作つまみの回転操作では、意匠部材は回転することなく、操作軸を介して回転体を回転させて、所望の回転機能部を調整することができるため、意匠部材に明示された方向性を有した意匠は常に正立した状態を維持できる高品位な回転押圧操作型電子部品を提供することができるという作用を有する。
【００２５】
本発明の請求項２に記載の発明は、請求項１記載の発明において、意匠部材が意匠本体部材と保持部材とに分割構成され、保持部材は中空の略筒状で、上端部は一部が切欠かれた大径部となり、その大径部の下面が操作軸の上部に係止され、下端にケースの貫通孔に係止される係止部と上記貫通孔に備えられた溝部に嵌合した回転止め部を備え、上記意匠本体部材は上面に意匠が明示された上部が上記保持部材の大径部を下方の嵌合凹部に嵌合し、直線棒状の下部が上記保持部材の貫通孔に挿入されているものである。
【００２６】
この構成により、意匠部材を分割したので、操作つまみと意匠本体部材を、回転押圧操作型電子部品を搭載する電子機器を組み立てる際に組み合わせることができ、搭載する電子機器のデザインに応じて操作つまみおよび意匠の設計自由度を大きくすることができるという作用を有する。
【００２７】
本発明の請求項３に記載の発明は、請求項１または２に記載の発明において、意匠部材または意匠本体部材が透光性を有した材料で形成されているものである。
【００２８】
この構成により、意匠部材または意匠本体部材の下方にＬＥＤなどの発光素子を配して実装することで、容易に意匠部分が照光される機能を付加することができるという作用を有する。
【発明の効果】
【００２９】
以上のように本発明によれば、回転操作しても、操作つまみに明示された方向性のある意匠が常に正立状態に維持される高品位な回転押圧操作型電子部品を実現することができるという有利な効果が得られる。
【図面の簡単な説明】
【００３０】
【図１】本発明の一実施の形態による回転押圧操作型電子部品の正面断面図
【図２】同側面断面図
【図３】同分解斜視図
【図４】同押圧動作状態の正面断面図
【図５】同実装状態の断面図
【図６】意匠部材を２部品構成とした実施の形態による回転押圧操作型電子部品の正面断面図
【図７】同側面断面図
【図８】従来の回転押圧操作型電子部品の正面断面図
【図９】同分解斜視図
【図１０】同実装状態の断面図
【図１１】同実装状態の操作パネル側からみた操作つまみの正面図
【発明を実施するための形態】
【００３１】
以下、本発明の実施の形態について、図１〜図７を用いて説明する。
【００３２】
なお、従来の技術の項で説明した構成と同一構成の部分には同一符号を付して、詳細な説明を簡略化する。
【００３３】
（実施の形態）
図１は本発明の一実施の形態による回転押圧操作型電子部品の正面断面図、図２は同側面断面図、図３は同分解斜視図である。同図において、３１は上方開口の凹部の中央に貫通孔３１Ａを有した絶縁樹脂製のケースで、貫通孔３１Ａ内には上下方向に溝部３１Ｂが設けられており、貫通孔３１Ａ外周の凹部内底面にプッシュスイッチ用固定接点３２が配され、内壁を挟んで上記プッシュスイッチ用固定接点３２の外側の凹部内底面には回転機能部用導体としてのエンコーダ用固定接点３３が配設されている。
【００３４】
上記ケース３１には、プッシュスイッチ用固定接点３２と繋がった２本１組の端子３２Ａが対向する側壁の一方から外方へ導出され、エンコーダ用固定接点３３と繋がった３本１組の端子３３Ａが他方の側壁から外方へ導出されている。
【００３５】
３４は、中央孔３４Ａを有した円環状の可動接点で、下方開口で側面視上方凸形のドーム状に形成されており、上記プッシュスイッチ用固定接点３２の配されたケース３１凹部内に収容され、その外周下端が外側に位置した外側固定接点３２Ｂ上に載り、内側の内側固定接点３２Ｃの上方に内周側が間隔を空けて位置している。そして、この可動接点３４の上に中孔３５Ａを有した略円筒状の駆動体３５が上下移動可能に載置されている。
【００３６】
３６は中央に非円形孔３６Ａを有した円柱部３６Ｂの下端がフランジ部３６Ｃとなった回転体で、フランジ部３６Ｃの下面には上記エンコーダ用固定接点３３上を摺動する摺動子３７が固定されている。そして、フランジ部３６Ｃの上面には放射状に凹凸部３６Ｄが設けられている。
【００３７】
３８は中間上方の外周の対向位置に係止用突起３８Ｂとその係止用突起３８Ｂの設けられてない周方向の対向位置に窪み部３８Ｃを有すると共に、中間下方位置に鍔部３８Ａを有した略円筒形状の操作軸で、下方部が上記回転体３６の非円形孔３６Ａに嵌合し、下端が上記駆動体３５の上面に当接状態に配され、回転および上下移動可能になされている。この操作軸３８が回転されると非円形孔３６Ａとの嵌合によって、回転体３６を一体に回転動作させることができ、押圧操作されると下端が駆動体３５を押下させることができるようになっており、通常状態で、上記可動接点３４によって上方に付勢されている。
【００３８】
３９は上方が小径孔となる段付き貫通孔３９Ａを有した筒部３９Ｂとその下端が平板部３９Ｃとなった軸受で、段付き貫通孔３９Ａの段部に上記操作軸３８の鍔部３８Ａ上面を当接させ、鍔部３８Ａの直上部を小径孔部分で嵌合し、段付き貫通孔３９Ａから操作軸３８を上方に突出させている。また、平板部３９Ｃ下面にクリックバネ４０が固定され、そのクリックバネ４０の曲げ下ろされた下端が上記回転体３６のフランジ部３６Ｃ上面の凹凸部３６Ｄに弾接状態となされ、回転体３６が回転されるとクリック節度を生じるようになされて、上記ケース３１の凹部上面を覆っている。
【００３９】
４１は中央に設けられた中孔４１Ａから軸受３９の筒部３９Ｂを突出させて平板部３９Ｃ上面からケース３１を抱え込むようにして下面でカシメ固定されたカバーで、実装用の脚部４１Ｂを備えている。
【００４０】
４２は中間の環状突起４２Ａから下方が小径部４２Ｂで、上方が大径部４２Ｃとなった意匠部材で、大径部４２Ｃの上面に方向性を有した意匠２４が明示されている。この意匠２４は、背景技術で説明したものと同じであり、Ｃ字形と直線形との組み合わせからなる電源部を示す意匠２４が明示されており、Ｃ字形の開口部が図３中に示す後方に位置し、その開口部位置に直線形状が前後方向で位置する状態が、意匠２４の正立した方向である。そして小径部４２Ｂの下端部に、上記ケース３１の貫通孔３１Ａに上下移動可能に係止された係止部４２Ｄと貫通孔３１Ａ内の上下方向の溝部３１Ｂに嵌合した回転止め部４２Ｅを備え、上記環状突起４２Ａ下面は上記操作軸３８の上端面に当接している。
【００４１】
４３は段付き円形孔４３Ａを有し、下方の対向する位置に２つの係止孔４３Ｂを備えた略砲弾形をした操作つまみで、段付き円形孔４３Ａ内に上記意匠部材４２の大径部４２Ｃを挿入して、環状突起４２Ａの上面を段付き円形孔４３Ａの段部に当接した状態で、意匠２４を段付き円形孔４３Ａから表出させている。そして、段付き円形孔４３Ａの下部には操作軸３８上端部を嵌合し、下方の２つの係止孔４３Ｂが、軸受３９の筒部３９Ｂから突出した操作軸３８の２つの係止用突起３８Ｂに係止され、また、段付き円形孔４３Ａの段部下方の内面で上記２つの係止孔４３Ｂの設けられていない周方向の対向する面に設けられた内周突部４３Ｃが上記操作軸３８の窪み部３８Ｃに嵌合している。
【００４２】
以上のように構成された回転押圧操作型電子部品において、次にその動作を説明する。
【００４３】
まず、上方から操作つまみ４３を押し下げると、操作つまみ４３の段付き円形孔４３Ａの段部が意匠部材４２の環状突起４２Ａを押し、上記環状突起４２Ａを介して操作軸３８に押圧力が加わる。つまり、操作つまみ４３、意匠部材４２および操作軸３８が一体となって、下方へ移動する。この下方への移動により、操作軸３８下端が駆動体３５を押圧してその下方の環状の可動接点３４に押圧力が加わり、所定の押圧力を超えると、図４の押圧動作状態の正面断面図に示すように、外側固定接点３２Ｂに載った可動接点３４のドーム状部分が弾性反転して、下方に対向している内側固定接点３２Ｃに接触し、ケース３１外方に導出された一対の端子３２Ａ間が導通して、スイッチオンとなる。
【００４４】
この押し下げ操作で、プッシュスイッチが動作した後に、操作つまみ４３の下端が軸受３９の筒部３９Ｂ上面に当接して押し止めが働き、必要以上の押圧力が可動接点３４に加わらないようになされている。
【００４５】
そして、この押し下げ操作をやめると、弾性変形していた可動接点３４が自己復帰力によって元の上方凸形に弾性復帰し、可動接点３４が内側固定接点３２Ｃから離れてスイッチオフとなる。この可動接点３４の自己復帰力によって、駆動体３５下端に上方への付勢力が加わり、操作軸３８と一体に意匠部材４２および操作つまみ４３が上方に押し上げられて、操作していない元の図１、図２に示す状態に戻る。
【００４６】
なお、この押圧操作を操作つまみ４３でなく、意匠部材４２に対しておこなっても良く、この場合にも、意匠部材４２の環状突起４２Ａが操作軸３８の上面から下方に向けて押下力を伝え、この操作軸３８に加えられた押下力が係止用突起３８Ｂに係止された操作つまみ４３の係止孔４３Ｂを構成する枠部分を介して操作つまみ４３を押し下げるように作用する。つまり、意匠部材４２に押下力が加えられても、意匠部材４２と操作軸３８および操作つまみ４３が一体になって下方に移動し、プッシュスイッチを動作させることができる。
【００４７】
次に、操作つまみ４３を回転操作すると、操作軸３８の窪み部３８Ｃに嵌合した内周突部４３Ｃによって操作軸３８が回転され、操作軸３８の回転によって下方部が嵌合した非円形孔３６Ａにより回転体３６が回転し、これによりフランジ部３６Ｃに固定された摺動子３７がエンコーダ用固定接点３３上を摺動する。この摺動子３７の摺動によりエンコーダ用固定接点３３と繋がったケース３１外方に導出された３本１組の端子３３Ａからエンコーダ用信号が得られる。
【００４８】
このように操作つまみ４３が回転操作され、操作軸３８が一体となって回転しても、意匠部材４２の下端部に設けられた回転止め部４２Ｅが、上記ケース３１の貫通孔３１Ａ内の溝部３１Ｂに嵌合して回転止めがなされているため、意匠部材４２は操作つまみ４３の段付き円形孔４３Ａとの間、および略円筒形状の操作軸３８の中空部分との間で摺接状態となって、回転することはない。
【００４９】
次に、この回転押圧操作型電子部品の実装状態の図を用いて、説明する。
【００５０】
図５はこの回転押圧操作型電子部品の実装状態の断面図である。
【００５１】
図５において、５１は所定の回路が形成された回路基板で、その回路基板５１下面側で端子３２Ａ，３３Ａおよびカバー４１の脚部４１Ｂが半田付けされて、回転押圧操作型電子部品が実装されている。２３は電子機器の操作パネルで、その操作パネル２３に設けられたつまみ用孔２３Ａから回転押圧操作型電子部品の操作つまみ４３が、操作パネル２３の操作側に突出状態になされている。
【００５２】
この電子機器に実装された回転押圧操作型電子部品を操作する際は、操作つまみ４３を押圧して、プッシュスイッチを動作させて電子機器の電源をオンにした後、操作つまみ４３を回転させて発生するエンコーダ信号により音量等を所望の状態に調節するものである。その操作つまみ４３への押圧操作により、電子機器の電源をオンにする際には、操作つまみ４３と一体になって意匠部材４２も上下移動し、電子機器の音量等を調整するために操作つまみ４３が回転操作された際には、操作つまみ４３と操作軸３８および回転体３６は一体となって回転しても、意匠部材４２はケース３１の貫通孔３１Ａ内の溝部３１Ｂに回転止め部４２Ｅが嵌合されているため、回転することはなく、その上面に明示された意匠２４を常に通常状態と同じく正立した状態に維持することができることは上述したとおりである。
【００５３】
このように本実施の形態によれば、押圧操作をすると、操作つまみ４３と共に意匠部材４２、操作軸３８が一体となって押し下げられ、操作軸３８下端が駆動体３５を介して可動接点３４を押下してプッシュスイッチを機能させるので、意匠部材４２に明示された意匠２４は正立状態で上下移動し、操作つまみ４３を回転操作すると、操作つまみ４３の回転と共に操作軸３８および回転体３６が回転されてエンコーダ部が機能するが、意匠部材４２は回転しないので、方向性を有した意匠２４は常に正立した状態を維持される高品位な回転押圧操作型電子部品を提供することができる。
【００５４】
また、上述の構成に変えて、図６、図７に示すように、意匠部材４２を分割して２部品で構成するようにしても良い。
【００５５】
図６、図７において、４４は中空貫通孔を有した略筒状の保持部材で、略円筒形状の操作軸３８内に挿入された下端部に、上記ケース３１の貫通孔３１Ａに係止された係止部４４Ａおよび、その貫通孔３１Ａ内の溝部３１Ｂに嵌合した回転止め部４４Ｂを備え、上端部は一部が切欠かれた大径部４４Ｃとなって、その大径部４４Ｃ下面が操作軸３８の上端に当接している。
【００５６】
４５は上面に方向性を有する意匠２４が明示された意匠本体部材で、上部が大径部分４５Ａと下部が直線棒状の小径部分４５Ｂからなり、その大径部分４５Ａは操作つまみ４３の段付き円形孔内４３Ａに挿入され、大径部分４５Ａの下端の拡径部４５Ｃ上面が上記段付き円形孔４３Ａの段部に当接し、拡径部４５Ｃ下面が操作軸３８の上端に当接しており、上記保持部材４４の一部が切欠かれた大径部４４Ｃを、その外形に合わせて大径部分４５Ａの下面に設けられた環状の嵌合凹部４５Ｄ内に嵌合し、この嵌合凹部４５Ｄから下方の小径部分４５Ｂが上記保持部材４４の中空貫通孔内に挿入されている。
【００５７】
なお、その他の構成は上述のものと同じであるため説明を省略する。
【００５８】
このように構成された回転押圧操作型電子部品の動作は、操作つまみ４３を上方から押圧すると、操作つまみ４３の段付き円形孔４３Ａの段部に当接した意匠本体部材４５の拡径部４５Ｃを介して操作軸３８が押し下げられると共に、嵌合凹部４５Ｄに大径部４４Ｃが嵌合した保持部材４４も一体となって同時に押し下げられる。そして、操作部３８下端が当接した駆動体３５が可動接点３４を押圧し、可動接点３４の弾性反転により、内側固定接点３２Ｃに接触し、ケース３１外方に導出された一対の端子３２Ａ間が導通して、スイッチオンとなる。
【００５９】
また、操作つまみ４３に加えていた押圧力を解除すると、可動接点３４の自己復帰力により、可動接点３４が弾性復帰し、スイッチオフとなると共に、この可動接点３４の自己復帰力によって、駆動体３５下端に上方への付勢力が加わり、操作軸３８、保持部材４４、意匠本体部材４５および操作つまみ４３が一体となって上方に押し上げられて、操作していない元の図６、図７に示す状態に戻る。
【００６０】
なお、この押圧およびその解除操作において、意匠本体部材４５は回転することはないため、上面の意匠２４は正立状態である。
【００６１】
次に、操作つまみ４３を回転操作すると、操作軸３８の窪み部３８Ｃに嵌合した内周突部４３Ｃによって操作軸３８が回転され、この操作軸３８の回転により、その下方部が嵌合した非円形孔３６Ａによって回転体３６が回転し、フランジ部３６Ｃ下面に取り付けられた摺動子３７がエンコーダ用固定接点３３上を摺動する。この摺動子３７の摺動によりエンコーダ用固定接点３３と繋がったケース３１外方に導出された３本１組の端子３３Ａからエンコーダ用信号が得られる。
【００６２】
そして、ケース３１の貫通孔３１Ａ内に設けられた溝部３１Ｂに回転止め部４４Ｂが嵌合した保持部材４４は回転することはなく、この保持部材４４の中空貫通孔に小径部分４５Ｂが挿入され、かつ一部が切欠かれた大径部４４Ｃの外形に合わせて嵌合した嵌合凹部４５Ｄを備えた意匠本体部材４５も回転しない。
【００６３】
このように、図６、図７に示す構成によっても、操作つまみ４３の押圧とその解除操作によって、意匠２４を備えた意匠本体部材４５、保持部材４４および操作軸３８は一体となって上下移動し、操作つまみ４３が回転操作された際は、意匠本体部材４５は回転しないため、その上面に明示された意匠２４は常に正立した状態に維持される。
【００６４】
そして、この構成であれば、操作つまみ４３と意匠本体部材４５を除いた状態で、回転押圧操作型電子部品として電子機器メーカーに提供し、意匠本体部材４５と操作つまみ４３は、搭載する電子機器を組み立てる際に組み合わせるようにすることができるため、搭載する電子機器のデザイン変更に応じた意匠２４や操作つまみ４３の変更が容易となり、設計自由度を拡大させることができる。
【００６５】
また、上述の意匠部材４２または意匠本体部材４５をポリカーボネート樹脂などの透光性を有した材料で形成し、意匠部材４２または意匠本体部材４５の直下の回路基板５１上にＬＥＤなどの発光素子を実装配置することで、意匠２４部分が照光される機能を備えた電子機器とすることができる。
【００６６】
さらに、上述の形態では、ケース３１凹部内底面の回転機能部用導体をエンコーダ用固定接点として説明をしたが、可変抵抗器用抵抗パターンや回転スイッチ用パターンなどその他の導体でも良い。
【産業上の利用可能性】
【００６７】
本発明による回転押圧操作型電子部品は、操作つまみに明示された方向性のある意匠が常に正立状態に維持される高品位なものを実現することができ、主に各種電子機器の操作部等に有用である。
【符号の説明】
【００６８】
２４  意匠
３１  ケース
３１Ａ  貫通孔
３１Ｂ  溝部
３２  プッシュスイッチ用固定接点
３２Ａ，３３Ａ  端子
３２Ｂ  外側固定接点
３２Ｃ  内側固定接点
３３  エンコーダ用固定接点
３４  可動接点
３４Ａ  中央孔
３５  駆動体
３５Ａ  中孔
３６  回転体
３６Ａ  非円形孔
３６Ｂ  円柱部
３６Ｃ  フランジ部
３６Ｄ  凹凸部
３７  摺動子
３８  操作軸
３８Ａ  鍔部
３８Ｂ  係止用突起
３８Ｃ  窪み部
３９  軸受
３９Ａ  段付き貫通孔
３９Ｂ  筒部
３９Ｃ  平板部
４０  クリックバネ
４１  カバー
４１Ａ  中孔
４１Ｂ  脚部
４２  意匠部材
４２Ａ  環状突起
４２Ｂ  小径部
４２Ｃ，４４Ｃ  大径部
４２Ｄ，４４Ａ  係止部
４２Ｅ，４４Ｂ  回転止め部
４３  操作つまみ
４３Ａ  段付き円形孔
４３Ｂ  係止孔
４３Ｃ  内周突部
４４  保持部材
４５  意匠本体部材
４５Ａ  大径部分
４５Ｂ  小径部分
４５Ｃ  拡径部
４５Ｄ  嵌合凹部
５１  回路基板
【図１】
2011023212.tif 000003
【図２】
2011023212.tif 000004
【図３】
2011023212.tif 000005
【図４】
2011023212.tif 000006
【図５】
2011023212.tif 000007
【図６】
2011023212.tif 000008
【図７】
2011023212.tif 000009
【図８】
2011023212.tif 000010
【図９】
2011023212.tif 000011
【図１０】
2011023212.tif 000012
【図１１】
2011023212.tif 000013